(57)【要約】【課題】  光ディスクの情報漏洩を完全に防止することのできるライブラリ装置、ライブラリ装置の媒体管理方法、光ディスク廃棄用ドライブを提供する。【解決手段】  光ディスク１２０へ情報の記録再生を行う第１ドライブ１０５と、光ディスク１２０の寿命予測を行うための記録データの品質を検出する第２ドライブ１０４と、寿命と予測した光ディスクの記録データの破壊消去を行う第３ドライブ１０１と、寿命と予測した光ディスク１２０の記録データをコピーするバックアップ制御を行う主制御部１０８と、破壊消去済みの光ディスク１２０を筐体２００外部へ取り出すメディア排出口１０３とを備える。【選択図】      図１
2009104684.tif 000002
【特許請求の範囲】
【請求項１】
光ディスクと、前記光ディスクを保管する保管棚と、前記光ディスクへ情報の記録再生を行う第１ドライブと、前記光ディスクの寿命予測を行うための記録データの品質を検出する第２ドライブと、寿命と予測した前記光ディスクの前記記録データの破壊消去を行う第３ドライブと、前記光ディスクを前記保管棚と前記第１ドライブと前記第２ドライブと前記第３ドライブとの間で移動させる移動機構部と、前記移動機構部を制御する移動制御部と、寿命と予測した前記光ディスクの記録データをコピーするバックアップ制御を行う主制御部と、破壊消去済みの前記光ディスクを筐体外部へ取り出す排出口とを有することを特徴とするライブラリ装置。
【請求項２】
前記光ディスクの特定情報と保管位置情報と品質情報と検出日時情報とを関連付けて記憶する記憶手段と、前記第３ドライブの消去動作モードの選択画面を表示する動作モード表示部と、前記消去動作モードを選択する動作モード選択手段と、外部のコンピュータへ接続する外部インタフェース部とを有することを特徴とする請求項１記載のライブラリ装置。
【請求項３】
前記光ディスクは、ライトワンス媒体を有することを特徴とする請求項１または２記載のライブラリ装置。
【請求項４】
前記第２ドライブは、定期的に品質を検出する手段を有することを特徴とする請求項１乃至３の何れか１項記載のライブラリ装置。
【請求項５】
前記記録データの品質は、コレクタブルリードエラー数またはエラーレートを有することを特徴とする請求項１乃至４の何れか１項記載のライブラリ装置。
【請求項６】
前記寿命予測は、閾値に対する前記コレクタブルリードエラー数または前記エラーレート、或いは、時間経過に対する前記コレクタブルリードエラーの増加数または前記エラーレートの変化率により行うことを特徴とする請求項５記載のライブラリ装置。
【請求項７】
前記第３ドライブは、前記排出口を有することを特徴とする請求項１乃至６の何れか１項記載のライブラリ装置。
【請求項８】
前記第３ドライブは、前記光ディスクの記録層を破壊、または、基板を塑性変形させる廃棄用の破壊消去手段を有することを特徴とする請求項１乃至７の何れか１項記載のライブラリ装置。
【請求項９】
前記移動制御部は、廃棄用の前記記録データの消去を行った前記光ディスクを前記排出口へ移動させ、寿命でないと予測した前記光ディスクまたはコピー済みのコピー先の前記光ディスクを前記保管棚へ移動させる制御を行うことを特徴とする請求項１乃至８の何れか１項記載のライブラリ装置。
【請求項１０】
前記記憶手段は、磁気ディスクを有し、前記光ディスクの特定情報と保管位置情報と品質情報と検出日時情報とを関連付けて前記磁気ディスクへデータベース化して格納することを特徴とする請求項２記載のライブラリ装置。
【請求項１１】
前記特定情報は、前記光ディスクの種別、ラベル名、記録済容量とを有することを特徴とする請求項２または１０記載のライブラリ装置。
【請求項１２】
前記記憶手段は、前記消去動作モードをデータベース化して格納し、前記消去動作モードは、前記光ディスクの種別に対応する完全消去モードと簡易消去モードとを有することを特徴とする請求項２、１０、１１の何れか１項記載のライブラリ装置。
【請求項１３】
前記完全消去モードと前記簡易消去モードとは、各々、前記破壊消去用のパラメータを有することを特徴とする請求項１２記載のライブラリ装置。
【請求項１４】
前記記憶手段は、前記消去動作モードを選択しないときに前記破壊消去を行うためのデフォルト動作パラメータを格納することを特徴とする請求項２乃至１３の何れか１項記載のライブラリ装置。
【請求項１５】
前記筐体は、前記第１ドライブと前記第２ドライブと前記第３ドライブとを各々前記筐体から取り外せないようロックするドライブロック機構を有することを特徴とする請求項１または２記載のライブラリ装置。
【請求項１６】
前記外部インタフェース部は、前記光ディスクまたは光ディスクドライブの仕様情報を受信することを特徴とする請求項２記載のライブラリ装置。
【請求項１７】
データの破壊消去済み光ディスクのみを筐体外に排出することを特徴とするライブラリ装置の媒体管理方法。
【請求項１８】
第１ドライブにより光ディスクへ情報の記録再生を行うステップと、前記光ディスクを保管棚へ保管するステップと、前記保管棚から第２ドライブへ前記光ディスクを移動させるステップと、前記光ディスクの寿命予測を行うための記録データの品質を前記第２ドライブで検出するステップと、品質データを元に寿命予測判定を行うステップと、前記光ディスクが寿命へ到達と判定のとき、前記保管棚から新規の前記光ディスクを前記第１ドライブへ移動させるステップと、寿命へ到達の前記光ディスクの前記記録データを新規の前記光ディスクへコピーするステップと、コピー済みの新規の前記光ディスクを前記第１ドライブから前記保管棚へ移動させるステップと、寿命へ到達の前記光ディスクを前記第２ドライブから第３ドライブへ移動させるステップと、前記光ディスクの破壊消去を前記第３ドライブで行うステップと、破壊消去済みの前記光ディスクを前記第３ドライブから排出口へ移動させるステップと、前記光ディスクが寿命へ未達と判定のとき、寿命へ未達の前記光ディスクを前記第２ドライブから前記保管棚へ移動させるステップとを有することを特徴とするライブラリ装置の媒体管理方法。
【請求項１９】
前記光ディスクの特定情報と保管位置情報と品質情報と検出日時情報とを関連付けて記憶手段へ記憶するステップと、前記第３ドライブの消去動作モードの選択画面を動作モード表示部へ表示するステップと、前記消去動作モードを動作モード選択手段により選択するステップと、外部インタフェース部を介して外部のコンピュータへ接続するステップとを実行することを特徴とする請求項１８記載のライブラリ装置の媒体管理方法。
【請求項２０】
前記第２ドライブは、定期的に品質検出のステップを実行することを特徴とする請求項１８または１９記載のライブラリ装置の媒体管理方法。
【請求項２１】
前記記録データの品質は、コレクタブルリードエラー数またはエラーレートを有し、前記寿命予測判定は、閾値に対する前記コレクタブルリードエラー数または前記エラーレート、或いは、時間経過に対する前記コレクタブルリードエラーの増加数または前記エラーレートの変化率により判定することを特徴とする請求項１８乃至２０の何れか１項記載のライブラリ装置の媒体管理方法。
【請求項２２】
前記第３ドライブは、前記光ディスクの記録層を破壊、または、基板を塑性変形させる廃棄用の前記破壊消去のステップを実行することを特徴とする請求項１８記載のライブラリ装置の媒体管理方法。
【請求項２３】
光ディスクの記録層を破壊、または、基板を塑性変形させる破壊消去手段を有し、前記破壊消去手段は、前記光ディスクの種別に対応する完全消去手段と簡易消去手段とを有することを特徴とする光ディスク廃棄用ドライブ。
【請求項２４】
前記破壊消去手段は、光ビームの強度と、前記光ビームが前記光ディスクの半径方向へ往復する速度と、前記光ビームが記録データ領域の最内周位置と最外周位置とに到達時に前記光ディスクを回転させる角度とをパラメータとして有することを特徴とする請求項２３記載の光ディスク廃棄用ドライブ。
【発明の詳細な説明】
【技術分野】
【０００１】
本発明は、ライブラリ装置、ライブラリ装置の媒体管理方法、光ディスク廃棄用ドライブに関し、特に、光ディスクの破壊消去を行い、データ漏洩を回避できるライブラリ装置、ライブラリ装置の媒体管理方法、光ディスク廃棄用ドライブに関する。
【背景技術】
【０００２】
光ディスクライブラリ装置は、筐体内で光ディスクの保管およびデータの書き込み／読み取りを自動的に行う。光ディスクの廃棄時のデータ消去は、筐体外へ廃棄用光ディスクを手動で取り出し後、専用の消去装置にてデータ破壊を行うのが一般的である。
【０００３】
そこで、追記型光ディスクのデータ破壊に関連する技術としては、例えば、特許文献１、２に記載のようなものがある。
【０００４】
特許文献１は、追記型光ディスクに記録されたコピー禁止情報を別の光ディスクへ記録するとき、元のコピー禁止情報を読み出し不可能とすることで、コピー禁止情報を移動することを可能とする技術である。このため、追記型光ディスクに記録された情報がコピー禁止情報のとき、所定強度のレーザーで追記型光ディスクに書き込みを行い、管理情報、ファイルシステム、ユーザデータの何れか、または管理情報とユーザデータとの両方を破壊する。
【０００５】
特許文献２は、データ消去手段のない追記型メディアで、コピー不可のコンテンツを他のメディアに移動することを可能とする技術である。このため、移動対象の全データを他機器で解析不能な独自形式で記録装置内部に一旦保持した後に、移動元の追記型メディアの破壊を行い、その後に移動先のメディアに書き込みを行う。
【０００６】
また、記録媒体の寿命に関連する技術としては、特許文献３に記載のような技術がある。
【０００７】
特許文献３は、記録媒体の劣化の進行に対するユーザの不安を解消する技術である。このため、ディスク再生装置は、エラーレートが単位時間当たり所定の閾値以上となったとき、ディスクの劣化を判定し、バックアップを指示する信号を発生する。また、記録面の傷の状態、ディスクのそり・面振れ、データの圧縮、記録方法に応じて、劣化判定用の閾値を適当な値に変更する。
【０００８】
【特許文献１】特開２００６−１５５８１６号公報
【特許文献２】特開２００６−１２０２１８号公報
【特許文献３】特開２００６−１６４３３２号公報
【発明の開示】
【発明が解決しようとする課題】
【０００９】
上述の一般的な光ディスクライブラリ装置は、筐体外へ廃棄用光ディスクを取り出し、消去装置まで運搬する必要があり、この間にデータ漏洩の虞があるという課題がある。
【００１０】
また、特許文献１、２に記載の技術は、何れも、元の追記型光ディスクの情報を破壊後は、別の追記型光ディスクへの不法コピーを防止できる。しかし、追記型光ディスクを光ディスク装置に装着して情報を破壊する前段階の間に関し、追記型光ディスクは、取り扱いが自由である。従って、上記技術は、破壊の前段階では追記型光ディスクの情報漏洩の虞があるという課題がある。
【００１１】
さらに、特許文献３に記載の技術は、ディスクの劣化を判定し、バックアップした後、バックアップ元のディスクの取り扱いに関し、特に記載がないが、通常、不良ディスクとして廃棄処理する。従って、特許文献３は、バックアップ後、廃棄処理を実施するまでの間にバックアップ元のディスクを用いた情報漏洩の虞があるという課題がある。
【００１２】
本発明の目的は、上述の光ディスクの情報漏洩を完全に防止することのできるライブラリ装置、ライブラリ装置の媒体管理方法、光ディスク廃棄用ドライブを提供することにある。
【課題を解決するための手段】
【００１３】
本発明のライブラリ装置は、光ディスクと、光ディスクを保管する保管棚と、光ディスクへ情報の記録再生を行う第１ドライブと、光ディスクの寿命予測を行うための記録データの品質を検出する第２ドライブと、寿命と予測した光ディスクの記録データの破壊消去を行う第３ドライブと、光ディスクを保管棚と第１ドライブと第２ドライブと第３ドライブとの間で移動させる移動機構部と、移動機構部を制御する移動制御部と、寿命と予測した光ディスクの記録データをコピーするバックアップ制御を行う主制御部と、破壊消去済みの光ディスクを筐体外部へ取り出す排出口とを有することを特徴とする。
【００１４】
本発明のライブラリ装置の媒体管理方法は、データの破壊消去済み光ディスクのみを筐体外に排出することを特徴とする。
【００１５】
本発明のライブラリ装置の媒体管理方法は、第１ドライブにより光ディスクへ情報の記録再生を行うステップと、光ディスクを保管棚へ保管するステップと、保管棚から第２ドライブへ光ディスクを移動させるステップと、光ディスクの寿命予測を行うための記録データの品質を第２ドライブで検出するステップと、品質データを元に寿命予測判定を行うステップと、光ディスクが寿命へ到達と判定のとき、保管棚から新規の光ディスクを第１ドライブへ移動させるステップと、寿命へ到達の光ディスクの記録データを新規の光ディスクへコピーするステップと、コピー済みの新規の光ディスクを第１ドライブから保管棚へ移動させるステップと、寿命へ到達の光ディスクを第２ドライブから第３ドライブへ移動させるステップと、光ディスクの破壊消去を第３ドライブで行うステップと、破壊消去済みの光ディスクを第３ドライブから排出口へ移動させるステップと、光ディスクが寿命へ未達と判定のとき、寿命へ未達の光ディスクを第２ドライブから保管棚へ移動させるステップとを有することを特徴とする。
【００１６】
本発明の光ディスク廃棄用ドライブは、光ディスクの記録層を破壊、または、基板を塑性変形させる破壊消去手段を有し、破壊消去手段は、光ディスクの種別に対応する完全消去手段と簡易消去手段とを有することを特徴とする。
【発明の効果】
【００１７】
本発明のライブラリ装置、ライブラリ装置の媒体管理方法は、光ディスクのデータ漏洩を完全に防止できるという効果がある。
【発明を実施するための最良の形態】
【００１８】
次に、本発明の実施の形態について図面を参照して詳細に説明する。
【実施例１】
【００１９】
図１は、本発明のライブラリ装置１００の第１実施例を示す概略構成ブロック図である。
【００２０】
図１を参照すると、ライブラリ装置１００は、筐体２００と、光ディスク１２０と、メディア保管棚１１４と、第１ドライブ１０５と、第２ドライブ１０４と、第３ドライブ１０１と、メディア移動機構部１０６と、メディア移動制御部１０７と、主制御部１０８とで構成する。
【００２１】
光ディスク１２０は、例えば、ＣＤ−Ｒ（Ｃｏｎｐａｃｔ  Ｄｉｓｋ−Ｒｅｃｏｒｄａｂｌｅ）、ＤＶＤ−Ｒ（Ｄｉｇｉｔａｌ  Ｖｅｒｓａｔｉｌｅ  Ｄｉｓｋ−Ｒｅｃｏｒｄａｂｌｅ）、ＤＶＤ±Ｒ、ＢＤ−Ｒ（Ｂｌｕｅ  Ｒａｙ  Ｄｉｓｋ−Ｒｅｃｏｒｄａｂｌｅ）、ＨＤ  ＤＶＤ−Ｒ（Ｈｉｇｈ  Ｄｅｎｓｉｔｙ  Ｄｉｇｉｔａｌ  Ｖｅｒｓａｔｉｌｅ  Ｄｉｓｋ−Ｒｅｃｏｒｄａｂｌｅ）などのメディアである。
【００２２】
メディア保管棚１１４は、光ディスク１２０を保管する。また、筐体２００の外部から光ディスク１２０を投入するためのメディア投入口１０２は、メディア保管棚１１４に隣接して設ける。
【００２３】
第１ドライブ１０５（以降、リードライト用光ディスクドライブ１０５と称す）は、例えば、ＣＤ−Ｒ、ＤＶＤ−Ｒ、ＤＶＤ±Ｒ、ＢＤ−Ｒ、ＨＤ  ＤＶＤ−Ｒなどの光ディスク１２０に対して読み書き可能なドライブである。
【００２４】
第２ドライブ１０４（以降、エラーレート確認／リードライト用光ディスクドライブ１０４と称す）は、光ディスク１２０に対して読み書き可能であり、光ディスク１２０のコレクタブルリードエラー数１２６、エラーレート１２７を取得可能な手段を備える。
【００２５】
第３ドライブ１０１（以降、光ディスクメディア消去ドライブ１０１と称す）は、寿命に達したと予測した光ディスク１２０のデータの破壊消去を行う。また、光ディスクメディア消去ドライブ１０１は、破壊消去済みの光ディスク１２０のみを筐体２００外部へ取り出すためのメディア排出口１０３を設け、光ディスクメディア消去ドライブ１０１からのみメディア排出口１０３へアクセスできる構造（図示省略）を備える。
【００２６】
メディア移動機構部１０６は、光ディスク１２０をメディア保管棚１１４、リードライト用光ディスクドライブ１０５、エラーレート確認／リードライト用光ディスクドライブ１０４、光ディスクメディア消去ドライブ１０１との間で移動させるアクセッサ機構で構成する。アクセッサ機構は、周知の機構であり詳細な説明を省略する。
【００２７】
メディア移動制御部１０７は、メディア移動機構部１０６が光ディスク１２０を移動元の指定位置から移動先の指定位置へ移動させるための制御を行う。
【００２８】
主制御部１０８は、寿命に達したと予測した光ディスク１２０の記録データをコピーする制御を行うバックアップ制御部１０８２と、ドライブロック機構１４０、光ディスクメディア消去ドライブ１０１、エラーレート確認／リードライト用光ディスクドライブ１０４、リードライト用光ディスクドライブ１０５、メディア移動制御部１０７を制御する動作制御部１０８３とを備える。なお、主制御部１０８は、具体的にはＣＰＵ（Ｃｅｎｔｒａｌ  Ｐｒｏｃｅｓｓｉｎｇ  Ｕｎｉｔ）、半導体メモリなどを備える。
【００２９】
筐体２００は、例えば、図４に概略を示すドライブロック機構１４０を備える。ドライブロック機構１４０は、リードライト用光ディスクドライブ１０５、エラーレート確認／リードライト用光ディスクドライブ１０４、光ディスクメディア消去ドライブ１０１、メディア保管棚１１４を各々筐体２００へロックする。なお、メディア排出口１０３、メディア投入口１０２を独立して設けるときは、ドライブロック機構１４０は、光ディスクメディア消去ドライブ１０１、メディア保管棚１１４に代えメディア排出口１０３、メディア投入口１０２をロックする構成とする。図４では、一例としてリードライト用光ディスクドライブ１０５を筐体２００へロックするときの概略構成を示す。
【００３０】
図４を参照すると、ドライブロック機構１４０は、筐体２００へ固定される。ドライブロック機構１４０は、ソレノイド１４１と、ソレノイド１４１のシャフト１４３を外部へ突出する方向へ付勢力を与えるスプリング１４２と、シャフト１４３に取り付けるストッパ１４５と、シャフト１４３の突出位置を規制するハウジングケース１４４とで構成する。
【００３１】
リードライト用光ディスクドライブ１０５は、側面に穴２０２を設ける。ドライブロック機構１４０は、シャフト１４３が穴２０２に挿入時にリードライト用光ディスクドライブ１０５をロックする構成とする。
【００３２】
図４は、ソレノイド１４１の電源がオフの状態を示し、電源がオンのときのみ、ドライブロック機構１４０は、シャフト１４３を吸引しロックを解除するよう構成する。
【００３３】
従って、光ディスク１２０をローディングした状態で内部に存在する間、電源が入っていない状態でも、ドライブロック機構１４０は、シャフト１４３を穴２０２に挿入し、筐体２００にロックするため、リードライト用光ディスクドライブ１０５を取り外しできない。なお、保守員によりリードライト用光ディスクドライブ１０５を交換するとき、主制御部１０８は、光ディスク１２０がアンロード状態（光ディスク１２０が無い状態）であることを検出し、ソレノイド１４１の電源をオンにする制御を行うことで、ロックを解除する。
【００３４】
また、筐体２００は、光ディスク１２０をメディア投入口１０２から投入する以外、筐体２００内部へ人がアクセスできないよう、図示しない施錠などにより密閉する構造を備える。
【００３５】
次に、上述のように構成したライブラリ装置１００の動作について、図面を参照して説明する。
【００３６】
図６は、光ディスク１２０を筐体２００内へ投入時のライブラリ装置１００の動作を説明するためのフローチャートである。
【００３７】
図６を参照すると、光ディスク１２０がメディア投入口１０２へ投入されると（Ｓ６０１）、メディア移動機構部１０６は、光ディスク１２０をメディア投入口１０２からエラーレート確認／リードライト用光ディスクドライブ１０４の位置へ移動し、投入（ロード）する（Ｓ６０２）。
【００３８】
エラーレート確認／リードライト用光ディスクドライブ１０４は、光ディスク１２０の書き込み状態を調べる（Ｓ６０３）。光ディスク１２０が未書き込みで、かつ、現状では書き込むべきデータがない場合（Ｓ６０４）、メディア移動機構部１０６は、光ディスク１２０をメディア保管棚１１４へ移動する（Ｓ６０６）。
【００３９】
投入した光ディスク１２０が書き込み済みであった場合、または、未書き込みの光ディスク１２０で、書き込むべきデータがあり（Ｓ６０４）、そのデータの書き込みを行った後（Ｓ６０５）、エラーレート確認／リードライト用光ディスクドライブ１０４は、光ディスク１２０の寿命予測を行うための品質（具体的には、後述のコレクタブルリードエラー数１２６、エラーレート１２７）を確認する（Ｓ６０７）。
【００４０】
寿命か否かを判定し（Ｓ６０８）、コレクタブルリードエラー数１２６、エラーレート１２７が一定数未満であった場合（寿命ではないと判定時）、メディア移動機構部１０６は、メディア保管棚１１４へ光ディスク１２０を移動し格納する（Ｓ６０９）。
【００４１】
コレクタブルリードエラー数１２６、エラーレート１２７が一定数以上であった場合（寿命と判定時）、メディア保管棚１１４に新規光ディスク１２０の有無を判定し（Ｓ６１０）、新規光ディスク１２０があれば、メディア移動機構部１０６は、新規光ディスク１２０をメディア保管棚１１４から取り出し、リードライト用光ディスクドライブ１０５へ投入する（Ｓ６１２）。メディア保管棚１１４に新規光ディスク１２０がない場合は、メディア投入口１０２へ新しい光ディスク１２０が投入される（Ｓ６１１）。
【００４２】
メディア移動機構部１０６は、新規光ディスク１２０をメディア投入口１０２から取り出し、リードライト用光ディスクドライブ１０５へ投入する（Ｓ６１２）。
【００４３】
バックアップ制御部１０８２は、コレクタブルリードエラー数１２６、エラーレート１２７が一定数以上の光ディスク１２０のデータを新規光ディスク１２０上にコピーを実行する（Ｓ６１３）。
【００４４】
メディア移動機構部１０６は、コピー元の光ディスク１２０をエラーレート確認／リードライト用光ディスクドライブ１０４から取り出し、メディア保管棚１１４に移動し、一時的に格納する（Ｓ６１４）。
【００４５】
メディア移動機構部１０６は、コピー先の新規光ディスク１２０をリードライト用光ディスクドライブ１０５から取り出し、エラーレート確認／リードライト用光ディスクドライブ１０４へ移動し、投入する（Ｓ６１５）。
【００４６】
エラーレート確認／リードライト用光ディスクドライブ１０４は、新規光ディスク１２０のコレクタブルリードエラー数１２６、エラーレート１２７を確認する（Ｓ６１６）。
【００４７】
寿命か否かを判定し（Ｓ６１７）、新規光ディスク１２０のコレクタブルリードエラー数１２６、エラーレート１２７が一定数未満であった場合、メディア移動機構部１０６は、コピー元の光ディスク１２０をメディア保管棚１１４から取り出し、光ディスクメディア消去ドライブ１０１へ移動し、投入する（Ｓ６１８）。
【００４８】
光ディスクメディア消去ドライブ１０１は、コピー元の光ディスク１２０のデータを破壊消去する（Ｓ６１９）。メディア移動機構部１０６は、破壊消去済みの光ディスク１２０を光ディスクメディア消去ドライブ１０１から取り出し、メディア排出口１０３へ移動して排出する（Ｓ６２０）。
【００４９】
メディア移動機構部１０６は、コピー先の新規光ディスク１２０をエラーレート確認／リードライト用光ディスクドライブ１０４から取り出し、コピー元の光ディスク１２０を保管していたメディア保管棚１１４の棚位置へ移動し格納する（Ｓ６２１）。
【００５０】
上記（Ｓ６１７）において、エラーレート確認／リードライト用光ディスクドライブ１０４が、新規光ディスク１２０のコレクタブルリードエラー数１２６、エラーレート１２７を確認の結果、寿命と判定したとき、メディア移動機構部１０６は、新規光ディスク１２０を光ディスクメディア消去ドライブ１０１へ移動、投入する。光ディスクメディア消去ドライブ１０１でデータを破壊消去後、メディア移動機構部１０６は、破壊消去済みの新規光ディスク１２０を光ディスクメディア消去ドライブ１０１から取り出し、メディア排出口１０３へ移動して排出する（Ｓ６２２）。メディア移動機構部１０６は、コピー元の光ディスク１２０をメディア保管棚１１４から取り出し、エラーレート確認／リードライト用光ディスクドライブ１０４へ移動、投入する（Ｓ６２３）。その後、上記（Ｓ６１０）へ戻る。
【００５１】
一方、メディア保管棚１１４にある未書き込みの光ディスク１２０へデータの書き込みを行うとき、メディア移動機構部１０６は、未書き込みの光ディスク１２０をメディア保管棚１１４から取り出し（Ｓ６２４）、エラーレート確認／リードライト用光ディスクドライブ１０４へ移動し、投入する（Ｓ６２５）。エラーレート確認／リードライト用光ディスクドライブ１０４は、光ディスク１２０にデータの書き込みを行い（Ｓ６２６）。その後は、上述の（Ｓ６０７）以降に進む。
【００５２】
以上説明したように、上述のライブラリ装置１００は、データの破壊消去済み光ディスク１２０のみを筐体２００外に排出することにより、光ディスク１２０のデータ漏洩を防止できるという効果がある。
【００５３】
また、ライブラリ装置１００は、電源が入っていない状態でロックするような構成のドライブロック機構１４０を筐体２００へ設けている。ドライブロック機構１４０は、リードライト用光ディスクドライブ１０５、エラーレート確認／リードライト用光ディスクドライブ１０４、光ディスクメディア消去ドライブ１０１、メディア保管棚１１４（光ディスク１２０の各存在箇所と称す）を各々筐体２００へロックする。従って、光ディスク１２０が各存在箇所の内部にある間、各存在箇所を取り外すことができず、光ディスク１２０を筐体２００の外部へ各存在箇所毎に排出することも不可能となり、光ディスク１２０のデータ漏洩をより一層完全に防止できるという効果がある。
【実施例２】
【００５４】
次に、本発明のライブラリ装置３００の第２実施例について、図面を参照して説明する。
【００５５】
図２は、ライブラリ装置３００の第２実施例を示す概略構成ブロック図である。
【００５６】
図２を参照すると、ライブラリ装置３００は、筐体２００と、光ディスク１２０と、メディア保管棚１１４と、第１ドライブ１０５と、第２ドライブ１０４と、第３ドライブ１０１と、メディア移動機構部１０６と、メディア移動制御部１０７と、主制御部３０８と、磁気ディスク１３０と、外部インタフェース部１１３と、動作モード選択スイッチ１１１（以降、動作モード選択ＳＷ１１１と称す）と、動作モード表示部１１２とで構成する。なお、既述の第１実施例のライブラリ装置１００と同一構成要素は同一符号で表記する。
【００５７】
主制御部３０８は、バックアップ制御部１０８２と動作制御部１０８３とに加え、監視部１０８１を備える。監視部１０８１は、後述の動作モードＤＢ１１０を監視する。
【００５８】
ライブラリ装置３００は、構成要素として、磁気ディスク１３０と、外部インタフェース部１１３と、動作モード選択ＳＷ１１１と、動作モード表示部１１２とをライブラリ装置１００に加えて備えることが異なる点であり、異なる点についてのみ、以下に重点的に説明する。
【００５９】
ライブラリ装置３００は、記憶手段の一例として磁気ディスク１３０を備える。磁気ディスク１３０は、光ディスク１２０の特定情報と保管位置情報と品質情報と検出日時情報とを関連付けてデータベース（以降、ＤＢと略す）化して、動作モードＤＢ１１０として各種情報を格納する（図３参照）。
【００６０】
図３を参照すると、動作モードＤＢ１１０は、新規光ディスク位置／未書き込みフラグＤＢ１１０１、光ディスク位置／エラー数／エラーレートＤＢ１１０２、メディア規格情報ＤＢ１１０３、光ディスクドライブ情報ＤＢ１１０４、消去動作モードＤＢ１１０５、デフォルト動作パラメータＤＢ１１０６とで構成する。
【００６１】
図７を参照すると、新規光ディスク位置／未書き込みフラグＤＢ１１０１は、メディア種別１２１、メディアラベル名１２２、未書き込みフラグ１２３、メディア格納位置１２４の各種情報を備える。
【００６２】
図８を参照すると、光ディスク位置／エラー数／エラーレートＤＢ１１０２は、メディア種別１２１、メディアラベル名１２２、記録済の使用容量（セクタ数）１２５、メディア格納位置１２４、コレクタブルリードエラー数１２６、エラーレート１２７、確認日１２８の各種情報を備える。
【００６３】
図９を参照すると、メディア規格情報ＤＢ１１０３は、メディア種別１２１、セクタ長１５１、総セクタ数１５２、コレクタブルリードエラー数閾値１５３、エラーレート閾値１５４の各種情報を備える。
【００６４】
図１０を参照すると、光ディスクドライブ情報ＤＢ１１０４は、ドライブ種別１６１、ドライブ型番１６２、コマンド仕様１６３、光ディスク互換情報１６４の各種情報を備える。
【００６５】
図１１を参照すると、消去動作モードＤＢ１１０５は、メディア種別１２１に対応する完全消去モード１７１と、簡易消去モード１７２との各種情報を備える。完全消去モード１７１と簡易消去モード１７２とは、各々、破壊消去用のパラメータ情報を備える。破壊消去用のパラメータ情報は、光ビームスポット強度と、光ビームが光ディスク１２０の半径方向へ往復する速度と、光ビームが記録データ領域の最内周位置と最外周位置とに到達時に光ディスク１２０を回転させる角度と、メディア表面温度とを備える。
【００６６】
図１２を参照すると、デフォルト動作パラメータＤＢ１１０６は、消去動作モードＤＢ１１０５を選択しないとき、光ディスク１２０のデータの破壊消去を簡易的に行うためのデフォルト動作パラメータを格納する。デフォルト動作パラメータＤＢ１１０６は、消去動作モードＤＢ１１０５の完全消去モード１７１と簡易消去モード１７２とのどちらの指定もない光ディスク１２０の消去を行う際にも使用する。
【００６７】
外部インタフェース部１１３は、図示しないサーバコンピュータ、パーソナルコンピュータ、情報端末装置などに接続するＲＳ２３２Ｃ、ＵＳＢ（Ｕｎｉｖｅｒｓａｌ  Ｓｅｒｉａｌ  Ｂｕｓ）、モデム、ＬＡＮ（Ｌｏｃａｌ  Ａｒｅａ  Ｎｅｔｗｏｒｋ）などのインタフェースを持つ接続制御モジュールである。動作モードＤＢ１１０に存在しない（動作モードＤＢ１１０に未格納）光ディスクドライブに変更してライブラリ装置３００内に搭載したとき、外部インタフェース部１１３は、その光ディスクドライブの情報、光ディスク１２０との互換情報を収集する際に使用される。また、外部インタフェース部１１３は、動作モードＤＢ１１０に存在しない光ディスク１２０を投入したとき、その光ディスク１２０の規格情報を収集する際に使用される。
【００６８】
動作モード選択ＳＷ１１１は、押しボタン（図示せず）などを使用したスイッチであり、消去動作モードを選択する。
【００６９】
動作モード表示部１１２は、７セグメントＬＥＤ（Ｌｉｇｈｔ  Ｅｍｉｔｔｉｎｇ  Ｄｉｏｄｅ）やＬＣＤ（Ｌｉｑｕｉｄ  Ｃｒｉｓｔａｌ  Ｄｉｓｐｉａｙ）などの表示部であり、動作モード選択ＳＷ１１１の状態を監視し、消去動作モード並びに動作結果などを表示する。
【００７０】
なお、動作モード選択ＳＷ１１１と動作モード表示部１１２とは、保守員、オペレータなどが操作、視覚可能となる筐体２００の外側に設けることは云うまでもない。
【００７１】
次に、上述のように構成したライブラリ装置３００の動作について、図面を参照して説明する。
【００７２】
図１３は、光ディスク１２０を筐体２００内へ投入時のライブラリ装置３００の動作を説明するためのフローチャートである。
【００７３】
図１３を参照すると、光ディスク１２０がメディア投入口１０２へ投入されると（Ｓ１３０１）、メディア移動機構部１０６は、光ディスク１２０をメディア投入口１０２からエラーレート確認／リードライト用光ディスクドライブ１０４の位置へ移動し、投入（ロード）する（Ｓ１３０２）。
【００７４】
エラーレート確認／リードライト用光ディスクドライブ１０４は、光ディスク１２０の書き込み状態を調べ（Ｓ１３０３）、書き込むべきデータが有るか否かを判断する（Ｓ１３０４）。
【００７５】
光ディスク１２０が未書き込みで、かつ、書き込むべきデータがない場合、監視部１０８１は、動作モードＤＢ１１０を参照し、メディア保管棚１１４の空きを確認し、メディア格納位置１２４、メディア種別１２１、メディアラベル名１２２、未書き込みフラグ１２３の情報を関連付けて新規光ディスク位置／未書き込みフラグＤＢ１１０１へ登録する（Ｓ１３０６）。
【００７６】
各種情報を登録後、メディア移動機構部１０６は、光ディスク１２０をメディア保管棚１１４へ移動する（Ｓ１３０７）。
【００７７】
投入した光ディスク１２０が書き込み済みであった場合、または、未書き込みの光ディスク１２０で、書き込むべきデータがあり、そのデータの書き込みを行った（Ｓ１３０５）場合、エラーレート確認／リードライト用光ディスクドライブ１０４は、光ディスク１２０の寿命予測を行うための品質（コレクタブルリードエラー数１２６、エラーレート１２７）を確認する（Ｓ１３０８）。
【００７８】
寿命か否かを判定し（Ｓ１３０９）、コレクタブルリードエラー数１２６、エラーレート１２７が一定数未満であった場合（寿命ではないと判定時）、メディア移動機構部１０６は、メディア保管棚１１４へ光ディスク１２０を移動し格納する（Ｓ１３１０）。格納後、監視部１０８１は、動作モードＤＢ１１０を参照し、メディア保管棚１１４のメディア格納位置１２４と、特定情報（メディアラベル名１２２と使用容量（セクタ数）１２５とメディア種別１２１）と、品質情報（コレクタブルリードエラー数１２６とエラーレート１２７）と、確認日１２８との情報を関連付けて光ディスク位置／エラー数／エラーレートＤＢ１１０２へ登録する（Ｓ１３１１）。
【００７９】
コレクタブルリードエラー数１２６、エラーレート１２７が一定数以上であった場合（寿命と判定時）、監視部１０８１は、動作モードＤＢ１１０を検索し（Ｓ１３１２）、新規の光ディスク１２０が有るか否かを判断する（Ｓ１３１３）。
【００８０】
メディア保管棚１１４に新規光ディスク１２０があれば、メディア移動機構部１０６は、新規光ディスク１２０をメディア保管棚１１４から取り出し、リードライト用光ディスクドライブ１０５へ投入する（Ｓ１３１６）。メディア保管棚１１４に新規光ディスク１２０がない場合、主制御部３０８は、新しい光ディスク１２０を投入するよう動作モード表示部１１２へ表示させる制御を行う（Ｓ１３１４）。保守員は、表示内容を見てメディア投入口１０２へ新しい光ディスク１２０を投入する（Ｓ１３１５）。
【００８１】
メディア移動機構部１０６は、新規光ディスク１２０をメディア投入口１０２から取り出し、リードライト用光ディスクドライブ１０５へ投入する（Ｓ１３１６）。
【００８２】
バックアップ制御部１０８２は、コレクタブルリードエラー数１２６、エラーレート１２７が一定数以上の光ディスク１２０のデータを新規光ディスク１２０上にコピーを実施する（Ｓ１３１７）。
【００８３】
メディア移動機構部１０６は、コピー元の光ディスク１２０をエラーレート確認／リードライト用光ディスクドライブ１０４から取り出し、メディア保管棚１１４に移動し、一時的に格納する（Ｓ１３１８）。
【００８４】
メディア移動機構部１０６は、コピー先の新規光ディスク１２０をリードライト用光ディスクドライブ１０５から取り出し、エラーレート確認／リードライト用光ディスクドライブ１０４へ移動し、投入する（Ｓ１３１９）。
【００８５】
エラーレート確認／リードライト用光ディスクドライブ１０４は、新規光ディスク１２０のコレクタブルリードエラー数１２６、エラーレート１２７を確認する（Ｓ１３２０）。
【００８６】
寿命か否かを判定し（Ｓ１３２１）、新規光ディスク１２０のコレクタブルリードエラー数１２６／エラーレート１２７が一定数未満であった場合、メディア移動機構部１０６は、コピー元の光ディスク１２０をメディア保管棚１１４から取り出し、光ディスクメディア消去ドライブ１０１へ移動し、投入する（Ｓ１３２２）。
【００８７】
主制御部３０８は、コピー元の光ディスク１２０のデータを消去するための消去モードの選択画面、デフォルト動作パラメータを動作モード表示部１１２へ表示させる（Ｓ１３２３）。
【００８８】
オペレータは、動作モード表示部１１２の表示内容を参照して、動作モード選択ＳＷ１１１で光ディスク１２０に対応する消去動作モードを選択する（Ｓ１３２４）。
【００８９】
光ディスクメディア消去ドライブ１０１は、コピー元の光ディスク１２０のデータを破壊消去する（Ｓ１３２５）。
【００９０】
ここで、図１１を参照して、一例として、光ディスク１２０がＤＶＤ−Ｒ、消去動作モードとして完全消去モード１７１を選択したときの破壊消去動作について、以下に簡単に説明する。
【００９１】
ハロゲン、キセノンなどを光源とした光ビームスポット強度を１５０Ｗ（ワット）、光ビーム駆動速度を６秒／エッジ間、最外周での回転角度および最内周での回転角度を共に８度、光ディスク１２０の表面温度を２５０度として、破壊消去動作を行う。
【００９２】
先ず、光ビームスポットの出力を開始し、光ディスク１２０の表面温度を温度センサ（図示せず）で測定し、２５０度に保持した状態で光ビームスポットを最内周から最外周へ移動させ、最外周で光ディスク１２０を８度回転させる。次に、光ビームスポットを最外周から最内周へ移動させ、最内周で光ディスク１２０を８度回転させる。光ディスク１２０を１回転するまで、この動作を繰り返し実行する。光ディスク１２０の表面温度を一定温度（２５０度）に保持する方法は、図示しない光ビームスポット制御部が、温度センサの測定値が設定値に対して高温のときは光ビームスポット強度を小さくし、低温のときは、光ビームスポット強度を大きくするよう制御する。
【００９３】
なお、破壊消去は、光ディスク１２０の記録層（図示せず）を破壊するか、或いは、基板（図示せず）を塑性変形させる破壊の何れかを行い、廃棄用の消去を行う。記録層の破壊と基板の破壊との選択は、光ディスク１２０の表面温度の設定値により行う。
【００９４】
メディア移動機構部１０６は、破壊消去済みの光ディスク１２０を光ディスクメディア消去ドライブ１０１から取り出し、メディア排出口１０３へ移動して排出する（Ｓ１３２６）。メディア移動機構部１０６は、コピー先の新規光ディスク１２０をエラーレート確認／リードライト用光ディスクドライブ１０４から取り出し、コピー元の光ディスク１２０を保管していたメディア保管棚１１４の棚位置へ移動し格納する（Ｓ１３２７）。
【００９５】
メディア保管棚１１４へ格納後、監視部１０８１は、メディア格納位置１２４、メディアラベル名１２２、使用容量（セクタ数）１２５、コレクタブルリードエラー数１２６、エラーレート１２７、確認日１２８の情報を関連付けて光ディスク位置／エラー数／エラーレートＤＢ１１０２へ登録する（Ｓ１３２８）。
【００９６】
上記（Ｓ１３２１）において、エラーレート確認／リードライト用光ディスクドライブ１０４が、新規光ディスク１２０のコレクタブルリードエラー数１２６、エラーレート１２７を確認の結果、寿命と判定したとき、メディア移動機構部１０６は、新規光ディスク１２０を光ディスクメディア消去ドライブ１０１へ移動、投入する。光ディスクメディア消去ドライブ１０１でデータを破壊消去後、メディア移動機構部１０６は、破壊消去済みの新規光ディスク１２０を光ディスクメディア消去ドライブ１０１から取り出し、メディア排出口１０３へ移動して排出する（Ｓ１３２９）。メディア移動機構部１０６は、コピー元の光ディスク１２０をメディア保管棚１１４から取り出し、エラーレート確認／リードライト用光ディスクドライブ１０４へ移動、投入する（Ｓ１３３０）。その後、上記（Ｓ１３１２）へ戻る。
【００９７】
一方、メディア保管棚１１４にある未書き込みの光ディスク１２０へデータの書き込みを行う場合、メディア移動機構部１０６は、未書き込みの光ディスク１２０をメディア保管棚１１４から取り出し（Ｓ１３３１）、エラーレート確認／リードライト用光ディスクドライブ１０４へ移動し、投入する（Ｓ１３３２）。エラーレート確認／リードライト用光ディスクドライブ１０４は、光ディスク１２０にデータの書き込みを行い（Ｓ１３３３）、その後は、上述の（Ｓ１３０８）以降に進む。
【００９８】
以上説明したように、上述のライブラリ装置３００は、保守員が動作モード表示部１１２の表示内容を参照して、動作モード選択ＳＷ１１１で消去動作モードを選択するのみで、自動的にデータの破壊消去を実行できるという効果がある。
【００９９】
また、ライブラリ装置３００は、光ディスク１２０のメディア格納位置１２４、メディアラベル名１２２、使用容量（セクタ数）１２５、コレクタブルリードエラー数１２６、エラーレート１２７、確認日１２８の各種情報を関連付けて動作モードＤＢ１１０へ登録している。従って、ライブラリ装置３００は、光ディスク１２０を投入時に経年変化に起因して寿命のきた光ディスク１２０を抽出でき、データをバックアップすることで、筐体２００内の全ての光ディスク１２０の信頼性を確保できるという効果がある。
【０１００】
次に、光ディスク１２０を筐体２００内で管理時のライブラリ装置３００の動作について、図面を参照して説明する。
【０１０１】
図１４は、光ディスク１２０を筐体２００内で管理時のライブラリ装置３００の動作を説明するためのフローチャートである。
【０１０２】
図１４を参照すると、メディア移動機構部１０６は、コレクタブルリードエラー数１２６、エラーレート１２７の確認を一定期間（一例として６ヶ月間）行っていない光ディスク１２０を、メディア保管棚１１４からエラーレート確認／リードライト用光ディスクドライブ１０４へ移動し、ロード（投入）する（Ｓ１４０１）。
【０１０３】
エラーレート確認／リードライト用光ディスクドライブ１０４は、コレクタブルリードエラー数１２６、エラーレート１２７を測定し、光ディスク位置／エラー数／エラーレートＤＢ１１０２を参照して、今回の測定値を前回の測定結果と比較する（Ｓ１４０２）。
【０１０４】
エラーレート確認／リードライト用光ディスクドライブ１０４は、今回の測定値が、各々、コレクタブルリードエラー数閾値１５３、エラーレート閾値１５４未満で有るか否か、および、一定数未満の増加または変動であるか否かを判断する（Ｓ１４０３）。
【０１０５】
測定値が何れもコレクタブルリードエラー数閾値１５３、エラーレート閾値１５４未満で、且つ、前回の測定結果と比較して一定数未満の増加または変動であるとき、メディア移動機構部１０６は、光ディスク１２０をメディア保管棚１１４の元の棚位置へ移動し、保管する。メディア保管棚１１４へ格納後、監視部１０８１は、メディア格納位置１２４、メディアラベル名１２２、使用容量（セクタ数）１２５、コレクタブルリードエラー数１２６、エラーレート１２７、確認日１２８の情報を関連付けて光ディスク位置／エラー数／エラーレートＤＢ１１０２へ登録する（Ｓ１４０４）。
【０１０６】
なお、一定数未満の増加であるか否かは、コレクタブルリードエラー数１２６に適用し、一定数以内の変動であるか否かは、エラーレート１２７に適用する。エラーレート１２７に関して、一定数を２に設定しておくと、例えば、今回の測定値と前回の測定値との比が１以上〜２未満であるとき、一定数未満の変動と判断する。
【０１０７】
上記（Ｓ１４０３）において、測定値がコレクタブルリードエラー数閾値１５３以上、エラーレート閾値１５４以上、または、前回の測定結果と比較して一定数以上の増加または変動があるとき、監視部１０８１は、動作モードＤＢ１１０を検索し（Ｓ１４０５）、新規の光ディスク１２０が有るか否かを判断する（Ｓ１４０６）。
【０１０８】
メディア保管棚１１４に新規光ディスク１２０があれば、メディア移動機構部１０６は、新規光ディスク１２０をメディア保管棚１１４から取り出し、リードライト用光ディスクドライブ１０５へ投入する（Ｓ１４０９）。メディア保管棚１１４に新規光ディスク１２０がない場合、主制御部３０８は、新しい光ディスク１２０を投入するよう動作モード表示部１１２へ表示させる指示を行う（Ｓ１４０７）。オペレータは、表示内容を見てメディア投入口１０２へ新しい光ディスク１２０を投入する（Ｓ１４０８）。
【０１０９】
メディア移動機構部１０６は、新規光ディスク１２０をメディア投入口１０２から取り出し、リードライト用光ディスクドライブ１０５へ投入する（Ｓ１４０９）。
【０１１０】
バックアップ制御部１０８２は、コレクタブルリードエラー数１２６、エラーレート１２７が一定数以上の光ディスク１２０のデータを新規光ディスク１２０上にコピーを実施する（Ｓ１４１０）。
【０１１１】
メディア移動機構部１０６は、コピー元の光ディスク１２０をエラーレート確認／リードライト用光ディスクドライブ１０４から取り出し、メディア保管棚１１４に移動し、一時的に格納する（Ｓ１４１１）。
【０１１２】
メディア移動機構部１０６は、コピー先の新規光ディスク１２０をリードライト用光ディスクドライブ１０５から取り出し、エラーレート確認／リードライト用光ディスクドライブ１０４へ移動し、投入する（Ｓ１４１２）。
【０１１３】
エラーレート確認／リードライト用光ディスクドライブ１０４は、新規光ディスク１２０のコレクタブルリードエラー数１２６、エラーレート１２７を確認する（Ｓ１４１３）。
【０１１４】
寿命か否かを判定し（Ｓ１４１４）、新規光ディスク１２０のコレクタブルリードエラー数１２６／エラーレート１２７が一定数未満であった場合、メディア移動機構部１０６は、コピー元の光ディスク１２０をメディア保管棚１１４から取り出し、光ディスクメディア消去ドライブ１０１へ移動し、投入する（Ｓ１４１５）。
【０１１５】
主制御部３０８は、コピー元の光ディスク１２０のデータを消去するための消去動作モードの選択画面、デフォルト動作パラメータを動作モード表示部１１２へ表示させる（Ｓ１４１６）。
【０１１６】
オペレータは、動作モード表示部１１２の表示内容を参照して、動作モード選択ＳＷ１１１で光ディスク１２０に対応する消去動作モードを選択する（Ｓ１４１７）。
【０１１７】
光ディスクメディア消去ドライブ１０１は、コピー元の光ディスク１２０のデータを破壊消去する（Ｓ１４１８）。メディア移動機構部１０６は、破壊消去済みの光ディスク１２０を光ディスクメディア消去ドライブ１０１から取り出し、メディア排出口１０３へ移動して排出する（Ｓ１４１９）。
【０１１８】
メディア移動機構部１０６は、コピー先の新規光ディスク１２０をエラーレート確認／リードライト用光ディスクドライブ１０４から取り出し、コピー元の光ディスク１２０を保管していたメディア保管棚１１４の棚位置へ移動し格納する（Ｓ１４２０）。
【０１１９】
メディア保管棚１１４へ格納後、監視部１０８１は、メディア格納位置１２４、メディアラベル名１２２、使用容量（セクタ数）１２５、コレクタブルリードエラー数１２６、エラーレート１２７、確認日１２８の情報を関連付けて光ディスク位置／エラー数／エラーレートＤＢ１１０２へ登録する（Ｓ１４２１）。
【０１２０】
上記（Ｓ１４１４）において、エラーレート確認／リードライト用光ディスクドライブ１０４が、新規光ディスク１２０のコレクタブルリードエラー数１２６、エラーレート１２７を確認の結果、寿命と判定したとき、メディア移動機構部１０６は、新規光ディスク１２０を光ディスクメディア消去ドライブ１０１へ移動、投入する。光ディスクメディア消去ドライブ１０１でデータを破壊消去後、メディア移動機構部１０６は、破壊消去済みの新規光ディスク１２０を光ディスクメディア消去ドライブ１０１から取り出し、メディア排出口１０３へ移動して排出する（Ｓ１４２２）。メディア移動機構部１０６は、コピー元の光ディスク１２０をメディア保管棚１１４から取り出し、エラーレート確認／リードライト用光ディスクドライブ１０４へ移動、投入する（Ｓ１４２３）。その後、上記（Ｓ１４０５）へ戻る。
【０１２１】
一方、メディア保管棚１１４にある書き込み済みの光ディスク１２０へデータの追加書き込み（追記）を行うとき、メディア移動機構部１０６は、書き込み済みの光ディスク１２０をメディア保管棚１１４から取り出し（Ｓ１４２４）、エラーレート確認／リードライト用光ディスクドライブ１０４へ移動し、投入する（Ｓ１４２５）。エラーレート確認／リードライト用光ディスクドライブ１０４は、光ディスク１２０にデータの書き込みを行い（Ｓ１４２６）、その後は、上述の（Ｓ１４０２）以降に進む。
【０１２２】
以上説明したように、ライブラリ装置３００は、光ディスク１２０のコレクタブルリードエラー数１２６、エラーレート１２７を定期的に確認し、動作モードＤＢ１１０へ格納しておき、前回測定値と今回測定値とを比較し、寿命予測の判断としている。
【０１２３】
従って、ライブラリ装置３００は、経年変化に起因して寿命のきた光ディスク１２０を障害発生前に抽出し、バックアップすることで、筐体２００内の全ての光ディスク１２０の信頼性を確保できるという効果がある。
【０１２４】
次に、リードライト用光ディスクドライブ１０５、エラーレート確認／リードライト用光ディスクドライブ１０４を交換／変更時の動作について、図面を参照して説明する。
【０１２５】
図１５は、ドライブを交換／変更時のライブラリ装置３００の動作を説明するためのフローチャートである。
【０１２６】
図１５を参照すると、監視部１０８１は、エラーレート確認／リードライト用光ディスクドライブ１０４、およびリードライト用光ディスクドライブ１０５に光ディスク１２０が入っている（ロードされている）か否かを判断する（Ｓ１５０１）。
【０１２７】
光ディスク１２０が入っているとき、ドライブロック機構１４０は、エラーレート確認／リードライト用光ディスクドライブ１０４、リードライト用光ディスクドライブ１０５をロックするため、交換／変更をすることができない（Ｓ１５０２）。エラーレート確認／リードライト用光ディスクドライブ１０４、リードライト用光ディスクドライブ１０５は、内部に光ディスク１２０が入っていないときのみ、交換／変更をすることができる。
【０１２８】
監視部１０８１は、光ディスクドライブ情報ＤＢ１１０４を参照し、交換／変更をして筐体２００に新たに搭載するエラーレート確認／リードライト用光ディスクドライブ１０４、リードライト用光ディスクドライブ１０５の互換情報の有無を判断する（Ｓ１５０３）。例えば、次世代光ディスクドライブ（図示せず）などに交換／変更する場合、監視部１０８１は、次世代光ディスクドライブに対応する光ディスク互換情報１６４を光ディスクドライブ情報ＤＢ１１０４で確認する。
【０１２９】
交換／変更をするエラーレート確認／リードライト用光ディスクドライブ１０４、リードライト用光ディスクドライブ１０５の光ディスク互換情報１６４が光ディスクドライブ情報ＤＢ１１０４に存在しないとき（例えば、次世代光ディスクドライブ情報、それに対応する光ディスク互換情報１６４が無いとき）、監視部１０８１は、外部インタフェース部１１３を介して次世代光ディスクドライブ情報および光ディスク互換情報１６４を入手する。監視部１０８１は、入手した次世代光ディスクドライブ情報と光ディスク互換情報１６４とを関連付けして、光ディスクドライブ情報ＤＢ１１０４内に登録する（Ｓ１５０４）。
【０１３０】
監視部１０８１は、次世代光ディスクドライブの下位互換の有無（ライブラリ装置３００内部に入っている光ディスク１２０をそのまま読み書き可能であるか否か）を判断する（Ｓ１５０５）。
【０１３１】
交換／変更をする次世代光ディスクドライブが下位互換ありのとき、エラーレート確認／リードライト用光ディスクドライブ１０４、および、リードライト用光ディスクドライブ１０５は、同時に交換／変更が行われる（Ｓ１５０６）。次世代の光ディスク１２０が入ってきた時点で、次世代光ディスクドライブは、次世代の光ディスク１２０へデータ書き込みを行う。
【０１３２】
交換／変更をする次世代光ディスクドライブが下位互換なしのとき、ライブラリ装置３００は、全ての光ディスク１２０を次世代の光ディスク１２０へ入れ替えることが必要となる。そこで、ライブラリ装置３００は、最初にエラーレート確認／リードライト用光ディスクドライブ１０４のみ次世代光ディスクドライブへ交換／変更される（Ｓ１５０７）。
【０１３３】
ライブラリ装置３００は、メディア投入口１０２より交換した次世代光ディスクドライブに対応した次世代の光ディスク１２０が投入される（Ｓ１５０８）。監視部１０８１は、投入された次世代の光ディスク１２０の情報が、メディア規格情報ＤＢ１１０３内に存在するか否かを判断する（Ｓ１５０９）。
【０１３４】
次世代の光ディスク１２０の情報がメディア規格情報ＤＢ１１０３内に存在しない場合、監視部１０８１は、外部インタフェース部１１３を介してコレクタブルリードエラー数閾値１５３、エラーレート閾値１５４の各情報、および、次世代の光ディスク１２０の規格情報（セクタ長１５１、総セクタ数１５２）を入手する。
【０１３５】
監視部１０８１は、入手したコレクタブルリードエラー数閾値１５３、エラーレート閾値１５４の各情報と次世代の光ディスク１２０の規格情報とを関連付けして、メディア規格情報ＤＢ１１０３内に登録する（Ｓ１５１０）。
【０１３６】
バックアップ制御部１０８２は、全ての光ディスク１２０のデータを順次、次世代の光ディスク１２０へコピーする。コピー後、監視部１０８１は、エラーレート確認／リードライト用光ディスクドライブ１０４にてコピーした次世代の光ディスク１２０のコレクタブルリードエラー数１２６、エラーレート１２７を確認する（Ｓ１５１１）。監視部１０８１は、メディア格納位置１２４、メディアラベル名１２２、使用容量（セクタ数）１２５、コレクタブルリードエラー数１２６、エラーレート１２７、確認日１２８の情報を関連付けて光ディスク位置／エラー数／エラーレートＤＢ１１０２へ登録する。
【０１３７】
メディア移動機構部１０６は、コピー元の光ディスク１２０を光ディスクメディア消去ドライブ１０１へ移動、投入し（Ｓ１５１２）、コピー元の光ディスク１２０を格納していたメディア保管棚１１４の棚位置へ次世代の光ディスク１２０を移動、収納する（Ｓ１５１３）。
【０１３８】
光ディスクメディア消去ドライブ１０１は、光ディスク１２０のデータを消去し、消去後、メディア移動機構部１０６は、光ディスク１２０をメディア排出口１０３へ移動し、排出する（Ｓ１５１４）。全てのコピー元の光ディスク１２０の消去、および、排出が完了した時点で、保守員は、リードライト用光ディスクドライブ１０５の交換／変更を行う（Ｓ１５１５）。
【０１３９】
以上説明したように、ライブラリ装置３００は、監視部１０８１が、外部インタフェース部１１３を介して光ディスクドライブ情報および光ディスク互換情報１６４を入手する。従って、ライブラリ装置３００は、交換／変更をする光ディスクドライブの各種情報が内部に存在しないときにおいても、市場に存在する全ての光ディスクドライブ、光ディスク１２０に対応した情報を収集、格納して交換／変更可能である。
【０１４０】
また、ライブラリ装置３００は、全てのコピー元の光ディスク１２０のデータを順次、新規光ディスク１２０へコピーし、全てのコピー元の光ディスク１２０を光ディスクメディア消去ドライブ１０１で消去して排出する故、光ディスクドライブの交換／変更時にも情報漏洩を完全に防止できるという効果がある。
【実施例３】
【０１４１】
次に、本発明のライブラリ装置４００の第３実施例について、図面を参照して説明する。
【０１４２】
図５は、ライブラリ装置４００の第３実施例を示す概略構成ブロック図である。なお、既述の第２実施例のライブラリ装置３００と同一構成要素は同一符号で表記する。
【０１４３】
図５を参照すると、ライブラリ装置４００は、構成要素として、温湿度センサ部１１５と、エアコン／風量調整部１１６とをライブラリ装置３００に加えて備えることが異なる点であり、異なる点についてのみ、以下に重点的に説明する。
【０１４４】
温湿度センサ部１１５は、筐体２００内部の各部の温湿度を管理するための温湿度センサ（図示せず）を備える。温湿度センサ部１１５は、メディア保管棚１１４、エラーレート確認／リードライト用光ディスクドライブ１０４、リードライト用光ディスクドライブ１０５などの温湿度を管理する。
【０１４５】
エアコン／風量調整部１１６は、温湿度に一定上変化があったとき、一定時間をかけて温湿度を調整する。
【０１４６】
温湿度センサ部１１５とエアコン／風量調整部１１６とは、主制御部３０８の制御を受け動作する。
【０１４７】
上述のライブラリ装置４００は、筐体２００内の温湿度を管理するため、保管する光ディスク１２０の長寿命化、および、光ディスク１２０をロードしたリードライト用光ディスクドライブ１０５の動作上の安定化を図ることができるという効果がある。
【図面の簡単な説明】
【０１４８】
【図１】本発明のライブラリ装置の第１実施例を示す概略構成ブロック図である。
【図２】本発明のライブラリ装置の第２実施例を示す概略構成ブロック図である。
【図３】磁気ディスクの格納情報を示す図である。
【図４】ドライブロック機構を示す概略構成図である。
【図５】本発明のライブラリ装置の第３実施例を示す概略構成ブロック図である。
【図６】本発明のライブラリ装置の第１実施例の動作を説明するためのフローチャートである。
【図７】新規光ディスク位置／未書き込みフラグＤＢを説明するための図である。
【図８】光ディスク位置／エラー数／エラーレートＤＢを説明するための図である。
【図９】メディア規格情報ＤＢを説明するための図である。
【図１０】光ディスクドライブ情報ＤＢを説明するための図である。
【図１１】消去動作モードＤＢを説明するための図である。
【図１２】デフォルト動作パラメータＤＢを説明するための図である。
【図１３】本発明の第２実施例のライブラリ装置の光ディスクを筐体内へ投入時の動作を説明するためのフローチャートである。
【図１４】本発明の第２実施例のライブラリ装置の光ディスクを筐体内で管理時の動作を説明するためのフローチャートである。
【図１５】本発明の第２実施例のライブラリ装置のドライブを交換／変更時の動作を説明するためのフローチャートである。
【符号の説明】
【０１４９】
１００、３００、４００    ライブラリ装置
１０１    光ディスクメディア消去ドライブ
１０２    メディア投入口
１０３    メディア排出口
１０４    エラーレート確認／リードライト用光ディスクドライブ
１０５    リードライト用光ディスクドライブ
１０６    メディア移動機構部
１０７    メディア移動制御部
１０８、３０８    主制御部
１０８１    監視部
１０８２    バックアップ制御部
１０８３    動作制御部
１１０    動作モードＤＢ
１１０１    新規光ディスク位置／未書き込みフラグＤＢ
１１０２    光ディスク位置／エラー数／エラーレートＤＢ
１１０３    メディア規格情報ＤＢ
１１０４    光ディスクドライブ情報ＤＢ
１１０５    消去動作モードＤＢ
１１０６    デフォルト動作パラメータＤＢ
１１１    動作モード選択ＳＷ
１１２    動作モード表示部
１１３    外部インタフェース部
１１４    メディア保管棚
１１５    温湿度センサ部
１１６    エアコン／風量調整部
１２０    光ディスク
１２１    メディア種別
１２２    メディアラベル名
１２３    未書き込みフラグ
１２４    メディア格納位置
１２５    使用容量（セクタ数）
１２６    コレクタブルリードエラー数
１２７    エラーレート
１２８    確認日
１３０    磁気ディスク
１４０    ドライブロック機構
１４１    ソレノイド
１４２    スプリング
１４３    シャフト
１４４    ハウジングケース
１４５    ストッパ
１５１    セクタ長
１５２    総セクタ数
１５３    コレクタブルリードエラー数閾値
１５４    エラーレート閾値
１６１    ドライブ種別
１６２    ドライブ型番
１６３    コマンド仕様
１６４    光ディスク互換情報
１７１    完全消去モード
１７２    簡易消去モード
２００    筐体
２０２    穴
【図１】
2009104684.tif 000003
【図２】
2009104684.tif 000004
【図３】
2009104684.tif 000005
【図４】
2009104684.tif 000006
【図５】
2009104684.tif 000007
【図６】
2009104684.tif 000008
【図７】
2009104684.tif 000009
【図８】
2009104684.tif 000010
【図９】
2009104684.tif 000011
【図１０】
2009104684.tif 000012
【図１１】
2009104684.tif 000013
【図１２】
2009104684.tif 000014
【図１３】
2009104684.tif 000015
【図１４】
2009104684.tif 000016
【図１５】
2009104684.tif 000017